(57)【要約】【課題】  高い表面強度が必要な場合は通常の床パネル程度の表面強度を確保し、それ以外の場合には衝撃吸収性を高めることができる、緩衝性を使用環境にあわせて調整可能な二重床構造を提供すること。【解決手段】  床下地１上に複数の床パネル２が敷設されて形成される二重床構造である。床パネル２は、可撓性を有する板材３の周囲に主脚部４が垂設され、且つ該板材３の内側に、同主脚部４より短い、長さ調整自在な補助支持部５を有して成り、同補助支持部５と前記床下地１の表面との隙間を調節可能とする。【選択図】図１
2006118139.tif 000002
【特許請求の範囲】
【請求項１】
床下地上に複数の床パネルが敷設されて形成される二重床構造であって、
前記床パネルは、可撓性を有する板材の周囲に主脚部が垂設され、且つ該板材の内側に、同主脚部より短い、長さ調整自在な補助支持部を有して成り、同補助支持部と前記床下地の表面との隙間を調節可能としたことを特徴とする二重床構造。
【請求項２】
前記補助支持部を電動又は油圧調節等により外部制御自在なシリンダにて形成し、前記床パネルの、複数のものの前記隙間を一括にて調節制御するよう成した請求項１記載の二重床構造。
【請求項３】
前記主脚部と補助支持部との間の空間に面状のクッション材を介装したことを特徴とする請求項１または請求項２いずれかに記載の二重床構造。
【発明の詳細な説明】
【技術分野】
【０００１】
本発明は、床下地上に複数の床パネルが敷設されて形成される二重床構造に関するものである。
【背景技術】
【０００２】
上記のような二重床構造として、従来から、床下地の上方に離間して配置した四角状の床パネルを受ける脚部を有するものは知られている。この二重床構造において、剛性材料にて形成された床パネルと床下地との間にクッション材を介装して、転倒時の衝撃吸収性を向上させることも提案されている。
【０００３】
また、上記構成とは異なる直貼床仕上げ材において、転倒時の衝撃吸収性を向上させるため、例えば特開２００３−２６８９６０号公報によるものにあっては、図４に示すように、硬い表面材１０１の下に緩衝体（クッション材）１０２を配した構成とする技術が提案されている。
【０００４】
しかし、この構成による場合、緩衝体１０２が厚過ぎると歩行感覚に違和感のあるものとなり、また緩衝体１０２が薄過ぎると、床下地の不陸の解消性が悪くなるだけでなく、子供や老人等が転倒したときの衝撃を吸収緩和できないことが想定される。したがって、転倒時において危険性が増す。上記技術よると、緩衝体１０２を２種類のものを用いていることにより一応の効果を呈していると考えられるが、使用環境にあわせて緩衝性を調整しようとした場合、多品種の厚さ等の異なる緩衝体１０２を準備する必要があるので十分とは言えない。
【０００５】
ところで、日本老年学会にて発表された報告によると、ある老人ホームにて１年間の調査を行った結果、入居者８６人中転倒した方は２６人で、割合にすると３０％を超えている。また、転倒した時に骨折しそのまま寝たきりになる例も多い。したがって、床などに緩衝用マット（特開２０００−２３８１５８号公報参照）を敷設することも提案されているが、表面強度が足らないため、車椅子や移動ベッドの操作で車輪が埋もれ、移動しにくい等の問題発生が想定される。すなわち、例えば老人看護をおこなう病院などにおいては、昼間の車椅子や移動ベッドなどが頻繁に通行する場合に十分な表面強度を確保し、痴呆をもった老人等が排梱する以外に歩く人も少ない夜間のような場合には、表面に緩衝性をもたせ、人が歩くときに歩行感覚が悪くならない程度の表面強度と、徘徊老人等が倒れても骨折等の怪我をしにくい程度の衝撃吸収性を確保することが必要となる。しかし、これらの要求を両立させることは、実質上困難と考えられている。
【特許文献１】特開２００３−２６８９６０号公報
【特許文献２】特開２０００−２３８１５８号公報
【発明の開示】
【発明が解決しようとする課題】
【０００６】
本願発明は、上記背景技術とニーズに鑑みてなされたものであり、その課題は、高い表面強度が必要な場合は通常の床パネル程度の表面強度を確保し、それ以外の場合には衝撃吸収性を高めることができる、緩衝性を使用環境にあわせて調整可能な二重床構造を提供することにある。
【課題を解決するための手段】
【０００７】
上記課題を解決するために、本願発明による二重床構造は、床下地上に複数の床パネルが敷設されて形成される二重床構造であって、前記床パネルは、可撓性を有する板材の周囲に主脚部が垂設され、且つ該板材の内側に、同主脚部より短い、長さ調整自在な補助支持部を有して成り、同補助支持部と前記床下地の表面との隙間を調節可能としている。
【０００８】
そして、前記補助支持部を電動又は油圧調節等により外部制御自在なシリンダにて形成し、前記床パネルの、複数のものの前記隙間を一括にて調節制御するよう成すことが好ましい。
【０００９】
また、前記主脚部と補助支持部との間の空間に面状のクッション材を介装することも好ましい。
【発明の効果】
【００１０】
本願発明の二重床構造によると、補助支持部と床下地の表面との隙間を調節することにて、高強度な床面が必要な場合は、補助支持部の長さを長くして普通の床材なみの強度を確保し、高強度が不必要な場合には、補助支持部の長さを短くして床パネルによる床面の撓みの調節をおこない衝撃吸収性を高めることが可能となり、以って、緩衝性を使用環境にあわせて調整可能な二重床構造を提供できる。
【００１１】
そして、前記補助支持部を電動又は油圧調節等により外部制御自在なシリンダにて形成し、前記床パネルの、複数のものの前記隙間を一括にて調節制御するよう成しているので、施設の利用時間帯に合わせた床面の緩衝性調整が容易となる。
【００１２】
また、前記主脚部と補助支持部との間の空間に面状のクッション材を介装しているので、床パネル全面にわたり過度の撓みを防止することが出来る。
【発明を実施するための最良の形態】
【００１３】
特徴および利点を明確にすべく、添付した図面を参照しながら、本発明の実施の形態を以下に詳述する。
【００１４】
図１を参照すると、本発明の一実施形態である二重床構造の、床パネル単品の設置状態の概略構成図が示されている。
【００１５】
この二重床構造は、床下地１上に複数の床パネル２が敷設されて形成される二重床構造であって、前記床パネル２は、可撓性を有する板材３の周囲に主脚部４が垂設され、且つ該板材３の内側に、同主脚部４より短い、長さ調整自在な補助支持部５を有して成り、同補助支持部５と前記床下地１の表面との隙間を調節可能としている。
【００１６】
また、前記補助支持部５を電動又は油圧調節等により外部制御自在なシリンダ５２にて形成し、前記床パネル２の、複数のものの前記隙間を一括にて調節制御するよう成してもいる。また、前記主脚部４と補助支持部５との間の空間に面状のクッション材６を介装してもいる。
【００１７】
詳しくは、床パネル２は、約５０ｃｍ程度の四角状の、可撓性を有する１５ｍｍ程度の厚みをもった合板にて形成された板材３の周囲に、主脚部４がそれぞれ垂設され、同板材３の略中央に、長さ調整自在な補助支持部５は配設され、この場合、さらに、この補助支持部５を挟んで、床パネル２の略全面にわたるよう所定の大きさの長方形状のクッション材６、６が、床下地１となるスラブ表面と板材３との間に介装されて形成されている。
【００１８】
板材３の裏面には、図２に示すように、対向する二辺間の板材３の中心線に沿って、主脚部４より低い高さをもって板材３を中間で支える、後述する補助支持部５を形成する板状の補強梁５１が垂下してねじ固定されている。また、主脚部４は、外周で板材３を支えるように、同図に示すよう、板材３の裏面周囲に四角状の柱状体が垂下しねじ固定されている。
【００１９】
なお、この板材３は、正方形を示しているが本発明はそれに限定されるものではない。床パネル２の大きさは１辺が概ね２５ｃｍから８０ｃｍであることが好ましい。床パネル２の１辺が２５ｃｍ未満の場合、床パネル２の全面積に占める主脚部４の面積の割合が大きくなり、この二重床構造の目的を考えると非効率的となるからである。また、床パネル２の１辺が８０ｃｍ以上の場合、補助支持部５が作用しない場合に床パネル２の強度が小さくなり人が歩行した場合、床がたわみすぎて歩行感覚に違和感が増して歩き難くなる。
【００２０】
勿論、上記主脚部４も、この場合、正方形を示しているがそれに限定されるものではない。さらに、この柱状体による構成の他、板状の座の上部にその上端にて板材３を支持するおねじを有する構成の、良く知られたアジャスタ部材を板材３の裏面側周囲に配設し形成することも好ましい。この構成によると、床下地１のスラブ表面の不陸に対して主脚部４において微調節が可能となり、施工性も向上させることができる。
【００２１】
補助支持部５は、この場合、例えば板金材料にて形成される補強梁５１の中央部分に、図３に示すよう、床パネル２の外部において、複数の床パネル２に設けられたものを一括制御する制御装置（図示せず）と外部電線にて接続された１つの電動シリンダ５２が配設されて形成される。
【００２２】
上記電動シリンダ５２においては、基部５３から電動にて出入りする軸の先端に、比較的硬いゴムのような弾性部材による衝撃吸収部５４が設けられている。したがって、時間帯あるいは用途に応じて、二重床全体を一括して表面強度の制御をおこない、床パネル２中央部分において床下地１の不陸を解消して歩行感覚の違和感を無くすとともに、板材３の可撓性によるものとこの衝撃吸収部５４による緩衝性とにより、急激な衝撃に対する衝撃吸収性と、人が歩くときに歩行性の２つをそれぞれ確保することができることができることとなる。また、この軸の先端が床下地１から離れた場合において、床パネル２に衝撃荷重が加わったときの騒音防止の効果もある。
【００２３】
なお、上記電動シリンダ５２は、１つの床パネル２において複数設けても良く、この複数の電動シリンダ５２それぞれを床下地１に当接させたり離間させたりして、板材３の撓み状態を外部からきめこまかく調節し、床パネル２表面の強度を高めたり弱めたりしたりすることが可能となる。
【００２４】
クッション材６は、例えば発泡性ポリウレタン樹脂などにて形成された面状の弾性体で、この場合２つの長方形状を成し、図２に示すように、主脚部４と補助支持部５との間の空間に、補助支持部５に沿って２つのものが配設される。したがって、クッション材６を設けることにて、補助支持部５が働いていない調節状態にて板材３のたわみが大きくなり、板材３が破損することを防ぐ、静的あるいは動的な荷重支持をする役目を果たす。
【００２５】
上記構成による二重床構造にあっては、床下地１上の所定位置に、まず、クッション材６が配置され、次いで、そのクッション材６を覆うように複数の床パネル２が敷設されて二重床が形成される。
【００２６】
そして、実際の使用にあたっては、前述した制御装置を用いて、床パネル２の、複数のものの補助支持部５と床下地１の表面との隙間を一括にて調節制御する。したがって、電動シリンダ５２の軸が伸びている場合、二重床全体の表面は十分な強度を持つ。これにより、例えば病院等において、急病人が出て移動ベッドを押しながら複数の人間が走らなければならないような場合においては、主脚部４及び補助支持部５の両方が荷重を受け持ち、床表面の板材３が撓むことがない。また、反対に、補助支持部５の軸が伸びていない場合、二重床は十分な緩衝性と必要十分な表面強度を持つのである。
【００２７】
また、この場合、主脚部４近辺に衝撃がかかった場合はその衝撃力を拡散することはできないが、それ以外の場所に衝撃がかかった場合には、前記主脚部４と補助支持部５との間の空間に面状のクッション材６を介装しているので、同クッション材６の作用として衝撃力が拡散されて負担するため、比較的短い時間だけ床パネル２が撓み直ちに元の状態に戻る。これにより複数の床パネル２全面にわたって緋梱老人等が倒れても骨折等の怪我をしにくい緩衝性能を持ち、さらに、人が歩いた程度では主脚部４だけもで床パネル２がたわむことが少なくなり、安全な歩行が可能となるのである。さらに、床パネル２に過大な撓みがあったときにクッション材６で支え、板材３の撓みすぎによる破壊を防止できることとなる。
【００２８】
以上説明したように、本発明の二重床構造によれは、補助支持部５と床下地１の表面との隙間を調節することにて、高強度な床面が必要な場合は、補助支持部５の長さを長くして普通の床材なみの強度を確保し、高強度が不必要な場合には、補助支持部５の長さを短くして床パネル２による床面の撓みの調節をおこない衝撃吸収性を高めることが可能となり、以って、緩衝性を使用環境にあわせて調整可能な二重床構造を提供できる。
【００２９】
なお、本発明は上記各実施例に限定されず、本発明の技術思想の範囲内において、各実施例は適宜変更され得ることは明らかである。
【図面の簡単な説明】
【００３０】
【図１】本願発明の一実施形態である二重床構造の、床パネル単品の設置状態の概略斜視図。
【図２】同床パネルの全体構成を示す裏面から見た平面図。
【図３】同床パネルの補助支持部を示した概略断面図。
【図４】従来例直張り構造の床仕上材を示す斜視図。
【符号の説明】
【００３１】
１      床下地
２      床パネル
３      板材
４      主脚部
５      補助支持部
６      クッション材
【図１】
2006118139.tif 000003
【図２】
2006118139.tif 000004
【図３】
2006118139.tif 000005
【図４】
2006118139.tif 000006